(57)【要約】【課題】煙などを排気ダクトに案内する案内部材の表面に付着した汚れを簡便に洗浄し得るようにした洗浄装置を有する壁掛け型電子レンジを提供する。【解決手段】レンジ本体と、煙、蒸気などを排出するため、前記レンジ本体に設けられる排気ダクトと、電子レンジの下部で発生する煙、蒸気などを前記排気ダクト側に案内するため、前記レンジ本体内にスライド可能に設けられる案内部材と、前記案内部材のスライド移動中に前記案内部材の少なくとも一面に付着した汚れを除去する洗浄装置とを含む。【選択図】　図３
2004108754.tif 000002
【特許請求の範囲】
【請求項１】
レンジ本体と、
煙、蒸気などを排出するため、前記レンジ本体に設けられる排気ダクトと、
電子レンジの下部で発生する煙、蒸気などを前記排気ダクト側に案内するため、前記レンジ本体内にスライド可能に設けられる案内部材と、
前記案内部材のスライド移動中に前記案内部材の少なくとも一面に付着した汚れを除去する洗浄装置と
を含んでなることを特徴とする壁掛け型電子レンジ。
【請求項２】
前記洗浄装置は、
前記案内部材の前記一面に接触するように設けられるブラシ部と、
前記ブラシ部を支持し、洗剤を収容する洗剤容器と
を含むことを特徴とする請求項１に記載の壁掛け型電子レンジ。
【請求項３】
前記洗浄装置は、
前記案内部材の上面及び下面と接触する第１及び第２ブラシ部と、
前記第１及び第２ブラシ部を支持し、洗剤を収容する第１及び第２洗剤容器とを含むことを特徴とする請求項１に記載の壁掛け型電子レンジ。
【請求項４】
前記洗剤容器は洗剤が前記ブラシ部に投入されるようにする洗剤投入口を含むことを特徴とする請求項２に記載の壁掛け型電子レンジ。
【請求項５】
前記壁掛け型電子レンジは前記レンジ本体の表面に形成された固定溝をさらに含み、前記洗剤容器はその一端に取っ手を含み、前記固定溝に着脱可能に取り付けられることを特徴とする請求項２に記載の壁掛け型電子レンジ。
【請求項６】
前記第１及び第２洗剤容器は、洗剤が前記第１及び第２ブラシ部に供給されるようにする洗剤投入口を含むことを特徴とする請求項３に記載の壁掛け型電子レンジ。
【請求項７】
前記第１及び第２洗剤容器は前記第１及び第２ブラシ部とともに前記レンジ本体に着脱可能に設けられることを特徴とする請求項６に記載の壁掛け型電子レンジ。
【請求項８】
レンジ本体と、
飲食物を調理するため、前記レンジ本体内に設けられる加熱部と、
煙、蒸気などを排出するため、前記レンジ本体に設けられる排気ダクトと、
電子レンジの下部で発生する煙、蒸気などを前記排気ダクト側に案内するため、前記レンジ本体内にスライド可能に設けられる案内部材と、
前記案内部材の少なくとも一面に付着した汚れを除去するため、前記レンジ本体内に設けられる洗浄装置と
を含んでなることを特徴とする調理装置。
【請求項９】
前記洗浄装置は前記レンジ本体内に着脱可能に設けられ、前記案内部材のスライド移動中に汚れを除去することを特徴とする請求項８に記載の調理装置。
【請求項１０】
前記洗浄装置は、
前記案内部材のスライド移動中に前記案内部材の一面と接触して洗浄するブラシ部と、
前記ブラシ部を支持し、洗剤を前記ブラシ部に供給する洗剤容器と
を含むことを特徴とする請求項８に記載の調理装置。
【請求項１１】
前記洗浄装置は、
前記案内部材のスライド移動中に前記案内部材の上面及び下面と接触して洗浄する第１及び第２ブラシ部と、
前記第１及び第２ブラシ部を支持し、洗剤を前記第１及び第２ブラシ部に供給する第１及び第２洗剤容器と
を含むことを特徴とする請求項８に記載の調理装置。
【請求項１２】
前記加熱部は、マイクロ波を発生して飲食物を調理するマグネトロンを含むことを特徴とする請求項８に記載の調理装置。
【請求項１３】
前記調理装置は壁掛け型電子レンジであることを特徴とする請求項８に記載の調理装置。
【請求項１４】
下部で発生する煙、蒸気などを排出させるための排気ダクトを有する装着型調理部の排気案内装置において、
煙、蒸気などを前記排気ダクト側に案内する案内部材と、
前記調理部と前記案内部材との間に設けられ、前記案内部材のスライド移動中に前記案内部材の少なくとも一面に付着した汚れを除去する洗浄装置と
を含むことを特徴とする排気案内装置。
【請求項１５】
前記洗浄装置は前記案内部材の上面から取り外されることができ、前記上面に取り付けられたとき、前記案内部材の引出動作及び押込み動作の少なくともいずれか一動作中に汚れを除去することを特徴とする請求項１４に記載の排気案内装置。
【請求項１６】
前記洗浄装置は、前記案内部材が前記洗浄装置をスライド通過するとき、汚れを除去することを特徴とする請求項１４に記載の排気案内装置。
【請求項１７】
前記洗浄装置は、
前記案内部材のスライド移動中に前記案内部材の一面と選択的に接触して洗浄するブラシ部と、
前記ブラシ部を支持し、洗剤を前記ブラシ部に供給する洗剤容器と
を含むことを特徴とする請求項１４に記載の排気案内装置。
【請求項１８】
前記洗浄装置は、
前記案内部材のスライド移動中に前記案内部材を洗浄するため、前記案内部材の一面と接触するように設けられたブラシ部と、
前記ブラシ部を支持し、洗剤を前記ブラシ部に供給する洗剤容器と
を含むことを特徴とする請求項１４に記載の排気案内装置。
【請求項１９】
前記洗浄装置は、
前記案内部材のスライド移動中に前記案内部材の上面及び下面と選択的に接触して洗浄する第１及び第２ブラシ部と、
前記第１及び第２ブラシ部を支持し、洗剤を前記第１及び第２ブラシ部に供給する第１及び第２洗剤容器と
を含むことを特徴とする請求項１４に記載の排気案内装置。
【請求項２０】
前記洗浄装置は、
前記案内部材のスライド移動中に前記案内部材を洗浄するため、前記案内部材の上面及び下面と接触するように設けられた第１及び第２ブラシ部と、
前記第１及び第２ブラシ部を支持し、洗剤を前記第１及び第２ブラシ部に供給する第１及び第２洗剤容器と
を含むことを特徴とする請求項１６に記載の排気案内装置。
【発明の詳細な説明】
【０００１】
【発明の属する技術分野】
本発明は電子レンジの下部で発生する煙、蒸気などを排気ダクトに案内するための案内部材を洗浄し得る洗浄装置を有する壁掛け型電子レンジに関するものである。
【０００２】
【従来の技術】
壁掛け型電子レンジはガスオーブンレンジの上部に設置され、ガスオーブンレンジによる飲食物の調理時に発生する煙、蒸気などを排出するため、レンジ本体の内部にフードモータと排気ダクトなどを備えている。
【０００３】
壁掛け型電子レンジは、煙、蒸気などを排気ダクト側に案内する案内部材を含んでいる。この案内部材は、ガスオーブンレンジで調理される飲食物を覆うように、前後に進退可能に設けられる。
【０００４】
しかし、従来技術による壁掛け型電子レンジは、調理の際に発生する多量の煙、蒸気などが排気ダクトを通して外部へ迅速に排気されない場合、排気されていない煙、蒸気などは案内部材の表面に付着するので、衛生上不潔であるだけでなく、頻繁に掃除を行わなければ外観が損なわれるという欠点があった。
【０００５】
【発明が解決しようとする課題】
したがって、本発明はこのような従来の問題点を解決するためになされたもので、その目的は、案内部材を備えている場合、案内部材の表面に付着した汚れを簡便に洗浄し得るようにした洗浄装置を有する壁掛け型電子レンジを提供することにある。
【０００６】
【課題を解決するための手段】
前記のような目的を達成するため、本発明は、レンジ本体と、煙、蒸気などを排出するため、前記レンジ本体に設けられる排気ダクトと、電子レンジの下部で発生する煙、蒸気などを前記排気ダクト側に案内するため、前記レンジ本体内にスライド可能に設けられる案内部材と、前記案内部材のスライド移動中に前記案内部材の少なくとも一面に付着した汚れを除去する洗浄装置とを含んでなる壁掛け型電子レンジを提供する。
【０００７】
【発明の実施の形態】
以下、本発明の好ましい実施形態を添付図面に基づいて詳細に説明する。
【０００８】
図１は調理空間の壁に設置された本発明による壁掛け型電子レンジを示す斜視図であり、図２は図１に示す壁掛け型電子レンジから案内部材を引き出した状態を示す側面図である。
【０００９】
図２に示すように、本発明による壁掛け型電子レンジ２０はガスオーブンレンジ１０の上部に設置される。前記壁掛け型電子レンジ２０は、調理の際に発生する煙、蒸気などを電子レンジ２０の排気ダクト２２（図２に図示）に案内する案内部材２５と、前記案内部材２５を洗浄するための洗浄装置３０とを含む。前記案内部材２５は本体２１に押し込まれるかあるいは引き出されるようになっている。前記案内部材２５は、引出の際、離脱防止のための係止突起２６が側面に設けられている。
【００１０】
図３は、図２に示す壁掛け型電子レンジにおいて、案内部材を洗浄する洗浄装置を示す斜視図であり、図４は図３に示す洗浄装置の側断面図である。
【００１１】
前記洗浄装置３０は、案内部材２５の引出及び押込みの際に、前記案内部材２５に接触したままで汚れを洗浄するブラシ３２ａ、３２ｂと、前記ブラシ３２ａ、３２ｂを支持し、洗剤を貯蔵する洗剤貯蔵室３１ａ、３１ｂとを備えている。前記洗剤貯蔵室３１ａ、３１ｂとブラシ３２ａ、３２ｂは、前記案内部材２５の上面及び下面を洗浄し得るように、互いに対向して設けられている。
【００１２】
前記ブラシ３２ａ、３２ｂは進退移動する案内部材２５の上面及び下面にそれぞれ接触するように適切な間隔を置いて設けられる。
【００１３】
図４に示すように、前記洗剤貯蔵室３１ａは本体２１に設けられた固定溝２１ａに着脱可能に設置され、洗剤を投入するための洗剤投入口３３ａが長手方向に沿って一定間隔で多数設けられる。洗剤がブラシ３２ａに容易に流入されるように、洗剤貯蔵室３１ａの上部に洗剤投入口３３ａが貫設される。
【００１４】
前記洗剤貯蔵室３１ｂは本体２１に設けられた固定溝２１ｂに挿着され、洗剤を投入するための洗剤投入口３３ｂが長手方向に沿って一定の間隔を置いて多数形成される。洗剤がブラシ３２ｂに容易に流入されるように、洗剤貯蔵室３１ｂの側部に洗剤投入口３３ｂが貫設される。
【００１５】
図３に示すように、前記洗剤貯蔵室３１ａ、３１ｂの一端に取っ手３４ａ、３４ｂが設けられている。この取っ手３４ａ、３４ｂを用いて前記洗剤貯蔵室を引き出した後、洗剤投入口３３ａ、３３ｂを通して不足した洗剤を補充することができる。
【００１６】
図２に示すように、前記案内部材２５は、矢印で示す煙、蒸気などを電子レンジ２０の排気ダクト２２に案内するため、本体２１の外部に使用者により引き出され、本体内部のフードモータ（図示せず）の駆動による吸入力により煙、蒸気などが排気ダクト２２に案内されるとき、排気ダクト２２から遠くなる煙、蒸気を案内する役割をする。
【００１７】
一方、ガスオーブンレンジ１０による調理が完了する場合、又は排気ダクト２２の直下方で調理が行われる場合、案内部材２５は本体の内部に押し込まれる。
【００１８】
このように、案内部材２５を引き出すか又は押し込む場合、ブラシ３２ａ、３２ｂが案内部材２５の上面及び下面にそれぞれ接触し、洗剤貯蔵室３１ａ、３１ｂに貯蔵された洗剤により前記案内部材２５の表面に付着した汚れが洗浄される。
【００１９】
前述の実施形態においては、案内部材２５の上面と下面にブラシ３２ａ、３２ｂが接触するように構成したが、設置環境を考慮して、汚染部位によってブラシの設置位置を適切に変更することもできる。また、製造単価の節減のため、案内部材２５の上面及び下面のうち、汚染しやすい一面のみに洗浄装置を設けることもできる。
【００２０】
【発明の効果】
以上説明したように、本発明は、調理の際に発生する煙、蒸気などを案内するため、案内部材を引き出すか又は押し込む過程で、その案内部材の表面に接触して表面の汚れを洗浄することができるので、案内部材を常に清潔に維持することができ、よって快適な厨房環境の造成ができ、掃除作業が簡便である。また、洗剤の補充が容易であるので、使用の便宜性が高いという効果がある。
【図面の簡単な説明】
【図１】調理空間の壁に設置された本発明による壁掛け型電子レンジを示す斜視図である。
【図２】図１に示す壁掛け型電子レンジから案内部材を引き出した状態を示す側面図である。
【図３】図２に示す壁掛け型電子レンジの案内部材を洗浄する洗浄装置を示す斜視図である。
【図４】図３に示す洗浄装置の側断面図である。
【符号の説明】
１０　ガスオーブンレンジ
２０　電子レンジ
２５　案内部材
３０　洗浄装置
【図１】
2004108754.tif 000003
【図２】
2004108754.tif 000004
【図３】
2004108754.tif 000005
【図４】
2004108754.tif 000006